(57)【要約】【課題】プランターに培養液を循環でき、意匠性に優れた壁面緑化装置を提供する。【解決手段】壁面緑化装置１０は、複数のプランター１と一組の水平排水管２・２を備える。プランター１には、植物を植栽できる。水平排水管２は、プランター１の底部に略水平状態に配置されている。水平排水管２は、プランター１の底部から排出される余剰の培養液を回収できる。プランター１は、凹部１１ｃと一組の支持脚片１１ｆ・１２ｆを底部に有している。凹部１１ｃには、水平排水管２を外周方向から導入できる。一組の支持脚片１１ｆ・１２ｆは、プランター１の底部の両側から突出している。一方の支持脚片１１ｆは、水平排水管２を前面から視認困難に、水平排水管２を覆っている。壁面緑化装置１０は、水平排水管２を外部に露出させないので、景観を向上でき、意匠性に優れている。【選択図】図６
2019024439.tif 000002
【特許請求の範囲】
【請求項１】
建物の壁面の前面に配置され、植物を植栽した箱状のプランターと、
前記プランターの底部に略水平状態に配置され、前記プランターの底部から排出される余剰の培養液を回収する水平排水管と、を備え、
前記プランターは、
底部に形成し、前記水平排水管を外周方向から導入自在な凹部と、
底部の両側から突出した一組の支持脚片と、を有し、
少なくとも一方の前記支持脚片は、前記水平排水管を前面から視認困難に、前記水平排水管を覆っている、壁面緑化装置。
【請求項２】
前記プランターは、
鉛直方向に底部に貫通した一つ以上の排水孔と、
この排水孔に嵌合し、下端部側が前記プランターの底面から突出した鉛直排水管と、を有し、
前記水平排水管は、前記鉛直排水管の下端部側と接続自在な接続口を開口している、請求項１記載の壁面緑化装置。
【請求項３】
培養液を前記プランターに散水できる散水管を更に備えている、請求項１又は２記載の壁面緑化装置。
【請求項４】
基端部を建物の壁面に固定し、先端部側が略水平状態で建物の壁面から突出し、前記水平排水管を支持した一組以上の槍出支持金具と、
前記槍出支持金具の先端部と着脱自在に固定したスタンドと、
一片を一方の前記支持脚片の外面に固定した長尺の第１アングル部材と、
一片を他方の前記支持脚片の外面に固定した長尺の第２アングル部材と、を備え、
前記第１アングル部材及び前記第２アングル部材は、それらの他片を前記槍出支持金具に着脱自在に固定している、請求項１から３のいずれかに記載の壁面緑化装置。
【請求項５】
前記プランターに植栽した植物がつる植物からなり、
前記スタンドは、前記つる植物が登攀できる緑化柵を建物の壁面と対向した状態で、配置している、請求項４記載の壁面緑化装置。
【発明の詳細な説明】
【技術分野】
【０００１】
本発明は、壁面緑化装置に関する。特に、植物を植栽したプランターを建物の壁面に沿って縦横に配置することで、直射日光から建物を遮蔽すると共に建物の景観を向上できる壁面緑化装置の構造に関する。
【背景技術】
【０００２】
近年では、建物の外壁に植物を植える壁面緑化がヒートアイランド現象の緩和及び省エネルギー化に役立つとして、注目されている。又、建物の外壁に沿って植物を配置することで、自然木などが少ない都市部の景観を向上できる。このような壁面緑化には、登攀式、下垂式、補助材式、又は、ユニット式などの様々な工法が提案又は実施されている。
【０００３】
登攀式壁面緑化工法は、壁面などに付着自在な付着根を有するつる植物を壁面に自立登攀させることで、建物の壁面を緑化できる。登攀式壁面緑化工法は、低コストで緑化できるメリットを有しているが、付着根を有する付着性植物に限定されるという制約がある。
【０００４】
下垂式壁面緑化工法は、屋上又はベランダに設置したプランターから植物を壁面に沿って垂らすことで、建物の壁面を緑化できる。補助材式壁面緑化工法は、ワイヤーなどの補助材を用いて、つる植物を登攀又は下垂させることで、建物の壁面を緑化できる。ユニット式壁面緑化工法は、植物を植栽したプランターなどのユニットを建物の壁面に沿って縦横に配置することで、建物の壁面を緑化できる。
【０００５】
壁面緑化は、市街地に建設される建物に要求される傾向がある。そして、市街地に建設される建物は、その外壁面が隣地境界又は道路境界に接近した位置に配置される傾向がある。このため、下垂式又は補助材式により、外壁面を緑化する工法が一般に採用されている。しかし、このような緑化工法では、植物の種類の制約、給水方法の制約、栄養剤供給方法の制約、植物交換の困難性などの管理上の問題がある。
【０００６】
一方、ユニット式壁面緑化工法は、プランターなどに植栽する植物の種類に比較的制約が少ないという特徴がある。又、ユニット式壁面緑化工法は、灌水などを自動化することが容易であり、一部の植物が枯渇しても、植物を育成したプランターを交換することで、景観を維持できるというメリットがある。
【０００７】
このようなユニット式壁面緑化工法において、植物を植栽したプランターを建物の壁面に沿って縦横に配置した壁面緑化装置であって、灌水される水が各段において不均一となることを防止できると共に、上段側のプランターよりも下段側のプランターが過湿の状態になることを防止できる壁面緑化装置が開示されている（例えば、特許文献１参照）。
【０００８】
又、このようなユニット式壁面緑化工法において、建物の壁面に取り付け可能なパネルの表面に半樋状のプランターを縦横に配置し、上方のプランターに溜まった水を下方のプランターに導く導水構造をパネルの長手方向に適当な間隔で設けた壁面緑化装置が開示されている（例えば、特許文献２参照）。
【先行技術文献】
【特許文献】
【０００９】
【特許文献１】特開２０１２−１９７１４号公報
【特許文献２】特開２００６−８号公報
【発明の概要】
【発明が解決しようとする課題】
【００１０】
図７は、従来技術による壁面緑化装置に備わる緑化ユニットの構成を示す縦断面図である。図８は、従来技術による壁面緑化装置の構成を示す正面図である。図９は、従来技術の他の実施例による壁面緑化装置の構成を示す右側面図である。
【００１１】
なお、本願の図７と図８は、特許文献１の図１２と図１３に相当している。又、本願の図９は、特許文献１の図１３に相当している。
【００１２】
図７から図９を参照すると、従来技術による壁面緑化装置８は、植物Ｐを植栽した複数の箱状の内部プランター８１と、これらの内部プランター８１を内部に収容した複数の箱状の外部プランター８２を備えている。内部プランター８１は、植物Ｐを植栽するための培養土Ｓｆを収容している（図７又は図９参照）。
【００１３】
図７又は図９を参照すると、内部プランター８１は、Ｔ字状の導水部材８５を内部に備えている。導水部材８５は、その一片８５ａを内部プランター８１の底面に載置している。又、導水部材８５は、その他片８５ｂを内部プランター８１の底部から突出している。
【００１４】
図７又は図８を参照すると、外部プランター８２は、前壁８２ａと後壁８２ｂを有している。又、外部プランター８２は、一対の側壁８２ｃ・８２ｄと底壁８２ｅを有している。前壁８２ａと底壁８２ｅは、斜面壁８２ｓで連続している。
【００１５】
図７を参照して、内部プランター８１を外部プランター８２に収容すると、内部プランター８１の底部の角部が斜面壁８２ｓの内壁に当接することで、内部プランター８１の底部が外部プランター８２の底面から離れた状態で、内部プランター８１を配置できる。
【００１６】
図７又は図９を参照すると、外部プランター８２は、水Ｗａを貯留できる貯水部８２１を底部に有している。導水部材８５の他片８５ｂは、貯水部８２１の水Ｗａに浸漬している。導水部材８５を介して、貯水部８２１の水Ｗａを培養土Ｓｆに導水できる。
【００１７】
図７を参照すると、外部プランター８２は、アングル部材８２２を後壁８２ｂに固定している。一方、図９を参照すると、建物の壁面Ｗｅには、複数のアングル部材８２３を固定している。アングル部材８２２をアングル部材８２３に載置し、アングル部材８２２をアングル部材８２３にボルト部材で固定することで、複数の外部プランター８２を建物の壁面Ｗｅに沿って、高さ方向に多段に配置できる（図８参照）。
【００１８】
図８を参照すると、外部プランター８２は、水位保全管８３を端部に備えている。水位保全管８３は、貯水部８２１に貯留された水Ｗａが所定の水位以上になると、水Ｗａを排水できる。水位保全管８３は、誘導管８３ｐを接続している。貯水部８２１に貯留された水Ｗａが所定の水位以上になると、上段の外部プランター８２から下段の外部プランター８２へ水Ｗａを誘導できる。
【００１９】
図８を参照すると、壁面緑化装置８は、給水管８４を上部に配置している。給水管８４の途上には、電磁弁８４ｖを設けている。電磁弁８４ｖを開くことで、最上段の外部プランター８２に水Ｗａを給水できる。
【００２０】
又、図８を参照すると、壁面緑化装置８は、水位センサ８６ｓを最下段の外部プランター８２の内部に配置している。水位センサ８６ｓと電磁弁８４ｖは、電線コード８６ｃで接続している。
【００２１】
図７又は図８を参照して、貯水部８２１の水位が１ｃｍ以下になった状態が水位センサ８６ｓで検知されると、電磁弁８４ｖが開いて給水管８４からの給水が開始される。一方、最下段の外部プランター８２の貯水部８２１の水位が３ｃｍを超えた状態が水位センサ８６ｓで検知されると、電磁弁８４ｖを閉じて給水管８４からの給水を停止することができる。
【００２２】
図８を参照すると、最下段の外部プランター８２の下方には、上面を開口した樋部材８６を配置している。樋部材８６は、最下段の外部プランター８２に取り付けた水位保全管８３介して、最下段の外部プランター８２に貯留された所定の水位以上の水Ｗａを受容できる。
【００２３】
次に、従来技術の他の実施例による壁面緑化装置の構成を説明する。図９を参照すると、他の実施例による壁面緑化装置８０は、図８に示した誘導管８３ｐに換えて、鎖樋８３ｃを水位保全管８３に接続している。
【００２４】
図９を参照すると、鎖樋８３ｃは、その上端部を水位保全管８３に係留している。又、鎖樋８３ｃは、その下端部を下段の外部プランター８２の貯水部８２１に向けて、下垂している。これにより、鎖樋８３ｃを介して、上段の外部プランター８２から下段の外部プランター８２に水Ｗａを導水できる。他の実施例に開示した鎖樋８３ｃは、日本建築に特有のもので、リングの美しさが建物に彩を添えることができる。
【００２５】
従来技術による壁面緑化装置は、貯水部に貯留した水の水位が所定の高さを超えるまでは、一定量の水が外部プランターの貯水部に貯留され、水位が所定の高さを超えたときは、下段側の外部プランターの貯水部に順次誘導されるので、複数の外部プランターを高さ方向に多段に配置することで、各段の外部プランターに貯留された水の量が不均一となることを防止できる、としている。
【００２６】
又、従来技術による壁面緑化装置は、貯水部に貯留した水を内部プランターの土壌に導水できる導水部材を備えているので、上段側の内部プランターの土壌よりも下段側の内部プランターの土壌が過湿の状態になることを防止できる、としている。
【００２７】
しかし、図７から図９を参照すると、特許文献１による壁面緑化装置は、植物Ｐを育成するために、内部プランター８１に収容した培養土Ｓｆの養分に依存している。従来技術による壁面緑化装置は、植物Ｐを育成するための水は十分に供給できるが、植物Ｐを成長させ続けるためには、養分が不足する心配がある。又、上段のプランターにて養分が吸収、消費されてしまうと、上下段のプランターにて植物Ｐに生育差が生じる恐れがある。
【００２８】
植物を植栽したプランターを建物の壁面に沿って縦横に配置した壁面緑化装置においては、植物が成長するために必要な養分を含んだ水、すなわち、培養液を循環させるように構成することが好ましい。この場合、図９を参照して、鎖樋８３ｃを介して、ドリップ管から上段のプランターの培養土に供給した培養液を下段のプランターの土壌に循環させる案が考えられるが、培養液で鎖樋８３ｃが汚染されると、壁面緑化装置の景観を損なう心配がある。
【００２９】
培養液を循環させるように構成した壁面緑化装置においては、プランターの底部から排出される余剰の培養液を回収するために水平方向に延びる排水管は必須であるが、この水平排水管をプラスチック管で構成し、プラスチック管を外部から視認可能に配置すると、壁面緑化装置の景観を損なう心配がある。培養液を循環させるように構成すると共に、意匠性を向上できる壁面緑化装置が求められている。
【００３０】
図１０は、他の従来技術による壁面緑化装置の構成を示す正面図である。図１１は、他の従来技術による壁面緑化装置の構成を示す平面図である。図１２は、他の従来技術による壁面緑化装置の構成を示す縦断面図である。なお、本願の図１０から図１２は、特許文献２の図１から図３に相当している。
【００３１】
図１０から図１２を参照すると、他の従来技術による壁面緑化装置９は、矩形のパネル板９１と一組の半樋状のプランター９２・９２を備えている。パネル板９１は、図示しない建物の壁面に着脱自在に固定できる。プランター９２は、その上面を開口し、パネル板９１の一方の面から箱状に突出した状態で、パネル板９１と一体に形成している。パネル板９１及びプランター９２は、軽量部材からなることが好ましい。
【００３２】
図１０から図１２を参照すると、壁面緑化装置９は、プランター９２の内部に土を入れて種又は苗を植栽できる。プランター９２は、仕切り壁９２ｗを中央部に設けている。プランター９２の中央部に仕切り壁９２ｗを設けることで、プランター９２の内部に収容した土の重量に対して強度を補強している。
【００３３】
図１０から図１２を参照すると、上部のプランター９２には、複数の排水孔９２ｄを底部に開口している。排水孔９２ｄは、パネル板９１に近い位置に開口していることが好ましい。排水孔９２ｄには、鉛直方向に排水パイプ９２ｐを接続している。排水パイプ９２ｐは、下部のプランター９２に向かって延びている。排水パイプ９２ｐは、上部のプランター９２に供給した水を下部のプランター９２に導水できる。
【００３４】
図１０から図１２を参照すると、パネル板９１は、下部のプランター９２の底部と連通した排水孔９１ｄを一方の面に開口している。排水孔９１ｄは、パネル板９１の内部に形成した排水路９１１に連通している。排水路９１１は、パネル板９１の下部に向かって開口している。排水路９１１は、下部のプランター９２に供給した水を外部に導水できる。
【００３５】
他の従来技術による壁面緑化装置は、灌水の効率化と清潔化を図り、軽量で安価な植栽用のプランターを提供できると共に、建物の壁面などに簡単に取り付けられる、としている。
【００３６】
特許文献２による壁面緑化装置は、プランターには灌水が必要であるが、雨水を利用することで、ランニングコストを低減できる、としている。又、雨水を貯水槽などに貯留し、この雨水をポンプで適宜汲み上げて、最上段のプランターに供給するように構成すれば、効率的である、としている。
【００３７】
しかし、図１０から図１２を参照すると、特許文献２による壁面緑化装置は、植物を育成するために、プランターに収容した土の養分に依存している。従来技術による壁面緑化装置は、植物を育成するための水は十分に供給できるが、植物を成長させ続けるためには、養分が不足する心配がある。
【００３８】
植物を植栽したプランターを建物の壁面に沿って縦横に配置した壁面緑化装置においては、植物が成長するために必要な養分を含んだ水、すなわち、培養液を循環させるように構成することが好ましい。この場合、図１２を参照して、排水路９１１を介して、下部のプランター９２から回収して培養液を上部のプランター９２に循環させる案が考えられるが、培養液がパネル板９１側に偏在する心配がある。
【００３９】
培養液を循環させるように構成した壁面緑化装置においては、プランターの底部から排出される余剰の培養液を回収するために水平方向に延びる排水管は必須であるが、この水平排水管をプラスチック管で構成し、プラスチック管を外部から視認可能に配置すると、壁面緑化装置の景観を損なう心配がある。培養液を循環させるように構成すると共に、意匠性を向上できる壁面緑化装置が求められている。
【００４０】
植物を植栽したプランターを建物の壁面に沿って縦横に配置した壁面緑化装置であって、これらのプランターに培養液を循環できると共に、景観の向上に寄与する意匠性に優れた壁面緑化装置が求められている。そして以上のことが本発明の課題といってよい。
【００４１】
本発明は、このような課題に鑑みてなされたものであり、植物を植栽したプランターを建物の壁面に沿って縦横に配置した壁面緑化装置であって、これらのプランターに培養液を循環できると共に、景観の向上に寄与する意匠性に優れた壁面緑化装置を提供することを目的とする。
【課題を解決するための手段】
【００４２】
本発明者らは、プランターの底部から排出される余剰の培養液を回収する水平排水管を前面から視認困難に、プランターの底部に形成した少なくとも一方の支持脚片で覆うことで、壁面緑化装置の景観を向上できると考え、これに基づいて、以下のような新たな壁面緑化装置を発明するに至った。
【００４３】
（１）本発明による壁面緑化装置は、建物の壁面の前面に配置され、植物を植栽した箱状のプランターと、前記プランターの底部に略水平状態に配置され、前記プランターの底部から排出される余剰の培養液を回収する水平排水管と、を備え、前記プランターは、底部に形成し、前記水平排水管を外周方向から導入自在な凹部と、底部の両側から突出した一組の支持脚片と、を有し、少なくとも一方の前記支持脚片は、前記水平排水管を前面から視認困難に、前記水平排水管を覆っている。
【００４４】
（２）前記プランターは、鉛直方向に底部に貫通した一つ以上の排水孔と、この排水孔に嵌合し、下端部側が前記プランターの底面から突出した鉛直排水管と、を有し、前記水平排水管は、前記鉛直排水管の下端部側と接続自在な接続口を開口していることが好ましい。
【００４５】
（３）本発明による壁面緑化装置は、培養液を前記プランターに散水できる散水管を更に備えていることが好ましい。
【００４６】
（４）本発明による壁面緑化装置は、基端部を建物の壁面に固定し、先端部側が略水平状態で建物の壁面から突出し、前記水平排水管を支持した一組以上の槍出支持金具と、前記槍出支持金具の先端部と着脱自在に固定したスタンドと、一片を一方の前記支持脚片の外面に固定した長尺の第１アングル部材と、一片を他方の前記支持脚片の外面に固定した長尺の第２アングル部材と、を備え、前記第１アングル部材及び前記第２アングル部材は、それらの他片を前記槍出支持金具に着脱自在に固定していることが好ましい。
【００４７】
（５）前記プランターに植栽した植物がつる植物からなり、前記スタンドは、前記つる植物が登攀できる緑化柵を建物の壁面と対向した状態で、配置していることが好ましい。
【発明の効果】
【００４８】
本発明による壁面緑化装置は、建物の壁面の前面に配置され、植物を植栽した箱状のプランターと、プランターの底部から排出される余剰の培養液を回収する水平排水管と、を備え、プランターは、水平排水管を導入自在な凹部と、底部の両側から突出した一組の支持脚片を有し、一方の支持脚片は、水平排水管を前面から視認困難に、水平排水管を覆っているので、プランターに培養液を循環できると共に、景観の向上に寄与する意匠性に優れた壁面緑化装置を提供できる。
【図面の簡単な説明】
【００４９】
【図１】本発明の一実施形態による壁面緑化装置の構成を示す正面図であり、つる植物を登攀可能な緑化柵を壁面緑化装置の前面に配置した状態図である。
【図２】前記実施形態による壁面緑化装置の構成を示す正面図であり、つる植物を登攀可能な緑化柵を取り外した状態図である。
【図３】前記実施形態による壁面緑化装置の構成を示す斜視分解組立図である。
【図４】前記実施形態による壁面緑化装置に備わるプランターの構成を示す斜視図である。
【図５】前記実施形態による壁面緑化装置に備わるプランターの構成を示す縦断面図である。
【図６】前記実施形態による壁面緑化装置の要部を拡大した縦断面図である。
【図７】従来技術による壁面緑化装置に備わる緑化ユニットの構成を示す縦断面図である。
【図８】従来技術による壁面緑化装置の構成を示す正面図である。
【図９】従来技術の他の実施例による壁面緑化装置の構成を示す右側面図である。
【図１０】他の従来技術による壁面緑化装置の構成を示す正面図である。
【図１１】他の従来技術による壁面緑化装置の構成を示す平面図である。
【図１２】他の従来技術による壁面緑化装置の構成を示す縦断面図である。
【発明を実施するための形態】
【００５０】
以下、図面を参照して本発明を実施するための形態を説明する。
［壁面緑化装置の構成］
最初に、本発明の一実施形態による壁面緑化装置の構成を説明する。
【００５１】
図１は、本発明の一実施形態による壁面緑化装置の構成を示す正面図であり、つる植物を登攀可能な緑化柵を壁面緑化装置の前面に配置した状態図である。図２は、前記実施形態による壁面緑化装置の構成を示す正面図であり、つる植物を登攀可能な緑化柵を取り外した状態図である。
【００５２】
図３は、前記実施形態による壁面緑化装置の構成を示す斜視分解組立図である。図４は、前記実施形態による壁面緑化装置に備わるプランターの構成を示す斜視図である。
【００５３】
図５は、前記実施形態による壁面緑化装置に備わるプランターの構成を示す縦断面図である。図６は、前記実施形態による壁面緑化装置の要部を拡大した縦断面図である。
【００５４】
（全体構成）
次に、本発明の一実施形態による壁面緑化装置の全体構成を説明する。図１から図６を参照すると、本発明の一実施形態による壁面緑化装置１０は、複数のプランター１と一組の水平排水管２・２を備えている。水平排水管２は、腐食に強い塩化ビニル管で構成している。
【００５５】
図２又は図６を参照すると、プランター１は、建物の壁面Ｗｅの前面に縦横に配置されている。図３から図６を参照すると、プランター１には、植物を植栽できる。図３又は図５及び図６を参照すると、プランター１は、散水管１１ｐから内部の培養土Ｓｆに培養液を供給できる。
【００５６】
図１から図３を参照すると、壁面緑化装置１０は、一組のプランター１・１を長手方向に沿って上段に連設している。又、壁面緑化装置１０は、一組のプランター１・１を長手方向に沿って下段に連設している。
【００５７】
図１から図３を参照すると、水平排水管２は、一組のプランター１・１の底部に略水平状態に配置されている。図３又は図６を参照すると、水平排水管２は、プランター１の底部から排出される余剰の培養液をプランター１の底面に設けられた排水孔１１ｄに嵌合されている鉛直排水管１４を介して効率よく回収できる。そして、これらの水平排水管２で回収した培養液を散水管１１ｐに供給することで、複数のプランター１に培養液を循環できる。
【００５８】
図４から図６を参照すると、プランター１は、凹部１１ｃと一組の支持脚片１１ｆ・１２ｆを底部に有している。凹部１１ｃには、水平排水管２を外周方向から導入できる。一組の支持脚片１１ｆ・１２ｆは、プランター１の底部の両側から突出している。
【００５９】
図６を参照すると、一方の支持脚片１１ｆは、水平排水管２を前面から視認困難に、水平排水管２を覆っている。これにより、壁面緑化装置１０は、水平排水管２を外部に露出させないので、景観を向上でき、意匠性に優れている。
【００６０】
図１から図６を参照すると、実施形態による壁面緑化装置１０は、建物の壁面Ｗｅの前面に配置され、培養液を内部の培養土Ｓｆに供給自在に、植物を植栽した一つ以上の箱状のプランター１と、プランター１の底部から排出される余剰の培養液を回収する水平排水管２と、を備え、プランター１は、水平排水管２を導入自在な凹部１１ｃと、底部の両側から突出した一組の支持脚片１１ｆ・１２ｆを有し、一方の支持脚片１１ｆは、水平排水管２を前面から視認困難に、水平排水管２を覆っているので、プランター１に培養液を循環できると共に、景観の向上に寄与する意匠性に優れた壁面緑化装置を提供できる。
【００６１】
（架台の構成）
次に、壁面緑化装置１０に備わる架台１Ｒの構成を説明する。図１から図３及び図６を参照すると、架台１Ｒは、複数の槍出支持金具３、三つのスタンド４、及び、緑化柵５で構成している。槍出支持金具３は、図示しないボルト部材を用いて、その基端部を建物の壁面Ｗｅに固定している。又、槍出支持金具３は、その先端部側を略水平状態で建物の壁面Ｗｅから突出している。
【００６２】
図１から図３及び図６を参照すると、槍出支持金具３は、水平方向に三列、鉛直方向に三段に配列している。列方向に配置された下段の槍出支持金具３は、管用のサドルバンド３１ｂを用いて（図３参照）、水平排水管２を支持している。同様に、列方向に配置された中段の槍出支持金具３は、管用のサドルバンド３１ｂを用いて（図３参照）、水平排水管２を支持している。
【００６３】
図１から図３及び図６を参照すると、列方向に配置された上段の槍出支持金具３は、それらの先端部をスタンド４の上部に着脱自在に固定している。同様に、列方向に配置された中段の槍出支持金具３は、それらの先端部をスタンド４の中間部に着脱自在に固定している。更に、列方向に配置された下段の槍出支持金具３は、それらの先端部をスタンド４の下部に着脱自在に固定している。このように、架台１Ｒは、九つの槍出支持金具３と三つのスタンド４で骨組みしている。
【００６４】
図３又は図６を参照すると、架台１Ｒは、長尺の第１アングル部材１１ａと長尺の第２アングル部材１２ａを備えている。第１アングル部材１１ａは、その一片を一方の支持脚片１１ｆの外面に固定できる。同様に、第２アングル部材１２ａは、その一片を他方の支持脚片１２ｆの外面に固定できる。
【００６５】
図３又は図６を参照すると、第１アングル部材１１ａ及び第２アングル部材１２ａは、それらの他片を槍出支持金具３に着脱自在に固定できる。列方向に配置した一組のプランター１・１を第１アングル部材１１ａ及び第２アングル部材１２ａで固定後に、水平排水管２を跨ぐように、一組のプランター１・１を三つの槍出支持金具３に載置し、第１アングル部材１１ａ及び第２アングル部材１２ａの他片を槍出支持金具３に固定することが好ましい。
【００６６】
図２又は図３及び図６を参照すると、スタンド４は、Ｃ形チャンネル部材からなり、その前面に三つの短尺の受け金具４１を高さ方向に配列している。一方、図１又は図３及び図６を参照すると、緑化柵５は、複数のフックボルトで固定された複数のアングル部材５１を裏面に有している。アングル部材５１を複数の受け金具４１に載置し、アングル部材５１を複数の受け金具４１にボルト部材で固定することで、緑化柵５を建物の壁面Ｗｅと対向した状態で配置できる。
【００６７】
図６を参照して、ビナンカズラ（美男葛）などのつる植物をプランター１に植栽することで、緑化柵５につる植物を登攀できる。緑化柵５をつる植物で覆うことで、いわゆる、グリーンカーテンを形成することで、直射日光から建物の壁面Ｗｅを遮蔽できる。
【００６８】
（プランター及び水平排水管の構成）
次に、実施形態によるプランター１及び水平排水管２の構成を説明する。図４から図５を参照すると、プランター１は、合成樹脂からなることが好ましく、合成樹脂を成形して、二つの仕切り板１３・１３で内部が区画された直方体状のプランター１を得ることができる。
【００６９】
図４又は図５を参照すると、プランター１は、半円弧状の溝部１１ｓを両端部の上面に形成している。これらの溝部１１ｓ・１１ｓには、散水管１１ｐを載置できる（図３又は図６参照）。図６を参照すると、散水管１１ｐは、培養液をプランター１に散水できる。
【００７０】
図５を参照すると、プランター１は、長手方向に沿って、一方の支持脚片１１ｆに雌ねじ部１１１を連設している。第１アングル部材１１ａの一片に開口したボルト穴を介して、ボルト部材を雌ねじ部１１１に締結することで、第１アングル部材１１ａの一片を一方の支持脚片１１ｆの外面に固定できる（図６参照）。
【００７１】
図５を参照すると、プランター１は、長手方向に沿って、他方の支持脚片１２ｆに雌ねじ部１２１を連設している。第２アングル部材１２ａの一片に開口したボルト穴を介して、ボルト部材を雌ねじ部１２１に締結することで、第２アングル部材１２ａの一片を他方の支持脚片１２ｆの外面に固定できる（図６参照）。
【００７２】
図５又は図６を参照すると、プランター１は、鉛直方向に貫通した複数の排水孔１１ｄを底部に有している。余剰の培養液が排水孔１１ｄに流下し易いように、プランター１の底面は、排水孔１１ｄに向かって下り傾斜している（図６参照）。
【００７３】
図５又は図６を参照すると、排水孔１１ｄには、鉛直排水管１４を嵌合させている。鉛直排水管１４は、その下端部側がプランター１の底面から突出している。一方、水平排水管２は、鉛直排水管１４の下端部側と接続自在な接続口２ｃを外周に開口している（図６参照）。これにより、一組のプランター１・１を三つの槍出支持金具３に載置すると、鉛直排水管１４と水平排水管２を導水可能に接続できる。
【００７４】
［壁面緑化装置の作用］
次に、実施形態による壁面緑化装置１０の構成を補足しながら、壁面緑化装置１０の作用及び効果を説明する。図１又は図２を参照すると、上段の水平排水管２は、その一端部側が閉塞され、他端部側が鉛直排水パイプ２１に接続している。同様に、下段の水平排水管２は、その一端部側が閉塞され、他端部側が鉛直排水パイプ２１に接続している。水平排水管２は、鉛直排水パイプ２１に向かって、僅かに下り傾斜するように配置することが好ましい。
【００７５】
図１又は図２を参照して、鉛直排水パイプ２１の延長先にポンプ（図示せず）を設置して、余剰の培養液を回収すると共に、この培養液を散水管１１ｐに供給することで、複数のプランター１に培養液を循環できる。
【００７６】
図１から図６を参照すると、実施形態による壁面緑化装置１０は、建物の壁面Ｗｅの前面に縦横に配置され、培養液を内部の培養土Ｓｆに供給自在な複数の箱状のプランター１と、プランター１の底部から排出される余剰の培養液を回収する水平排水管２と、を備えている。プランター１は、水平排水管２を導入自在な凹部１１ｃと、底部の両側から突出した一組の支持脚片１１ｆ・１２ｆを有している。一方の支持脚片１１ｆは、水平排水管２を前面から視認困難に、水平排水管２を覆っているので、プランター１に培養液を循環できると共に、景観の向上に寄与する意匠性に優れた壁面緑化装置を提供できる。
【００７７】
図６を参照して、実施形態による壁面緑化装置１０は、つる植物をプランター１に植栽することで、緑化柵５につる植物を登攀できる。緑化柵５をつる植物で覆うことで、いわゆる、グリーンカーテンを形成することで、直射日光から建物の壁面Ｗｅを遮蔽できる。
【００７８】
本発明による壁面緑化装置は、次のような効果がある。
（１）景観の向上に寄与する意匠性に優れた壁面緑化装置を提供できる。
（２）プランターと水平排水管の接続が容易である。
（３）つる植物を登攀させた緑化柵を建物の壁面の前面に配置することで、建物の景観を向上できる。
（４）培養液の循環及び改修が容易である。
【符号の説明】
【００７９】
１  プランター
２  水平排水管
１０  壁面緑化装置
１１ｃ  凹部
１１ｆ  一方の支持脚片
１２ｆ  他方の支持脚片
Ｓｆ  培養土
Ｗｅ  建物の壁面
【図１】
2019024439.tif 000003
【図２】
2019024439.tif 000004
【図３】
2019024439.tif 000005
【図４】
2019024439.tif 000006
【図５】
2019024439.tif 000007
【図６】
2019024439.tif 000008
【図７】
2019024439.tif 000009
【図８】
2019024439.tif 000010
【図９】
2019024439.tif 000011
【図１０】
2019024439.tif 000012
【図１１】
2019024439.tif 000013
【図１２】
2019024439.tif 000014